(57)【要約】【課題】画像出力装置から複数の画像ケーブルを介して分割された画像信号を入力して表示領域内の所望の領域に所望の画像を配置するまでのユーザの作業を軽減できるようにする。【解決手段】表示装置（１００）は、表示モードに応じて、入力端子と表示される投影画像との関係を示す画面（ＯＳＤ画像）を変更する。例えば、ユーザが指定した表示モードに応じて、ユーザの各種操作に応じて表示するＯＳＤ画像の中の一部のＯＳＤ画像の形状を変更して表示するようにして、装置が有する端子と実際の表示面との対応関係性をユーザが容易に把握することができるようにする。【選択図】図１１
2017044968.tif 000002
【特許請求の範囲】
【請求項１】
外部装置から複数の画像信号を入力する複数の画像入力手段と、
前記複数の画像信号に係る画像の配置方法を制御する制御手段と、
前記制御手段によって制御された配置方法に従って、前記複数の画像入力手段に入力されたそれぞれの画像信号を統合し、前記統合した画像を表示手段に表示する表示制御手段と
を有し、
前記表示制御手段は、前記画像入力手段の種類と前記画像入力手段に入力された画像信号が前記制御手段によって制御された配置方法に従って配置される位置との関係を表す画像を前記表示手段に表示することを特徴とする表示装置。
【請求項２】
前記表示制御手段は、前記複数の画像入力手段のうち、前記画像信号が入力された画像入力手段と前記画像信号が入力されていない画像入力手段とで、前記関係を表す画像において区別することを特徴とする請求項１に記載の表示装置。
【請求項３】
前記制御手段は、ユーザの操作に応じて前記複数の画像信号に係る画像の配置方法を制御することを特徴とする請求項１又は２に記載の表示装置。
【請求項４】
前記表示制御手段は、ユーザの操作に応じて前記関係を表す画像を前記表示手段に表示することを特徴とする請求項１から３のいずれか１項に記載の表示装置。
【請求項５】
前記複数の画像入力手段は、それぞれケーブルを介して前記外部装置から前記画像信号を入力することを特徴とする請求項１から４のいずれか１項に記載の表示装置。
【請求項６】
外部装置から複数の画像信号を入力する複数の画像入力手段を有する表示装置の制御方法であって、
前記複数の画像信号に係る画像の配置方法を制御する制御ステップと、
前記制御ステップによって制御された配置方法に従って、前記複数の画像入力手段に入力されたそれぞれの画像信号を統合し、前記統合した画像を表示手段に表示する表示制御ステップと
を有し、
前記表示制御ステップにおいては、前記画像入力手段の種類と前記画像入力手段に入力された画像信号が前記制御ステップによって制御された配置方法に従って配置される位置との関係を表す画像を前記表示手段に表示することを特徴とする制御方法。
【請求項７】
コンピュータを、
外部装置から複数の画像信号を入力する複数の画像入力手段と、
前記複数の画像信号に係る画像の配置方法を制御する制御手段と、
前記制御手段によって制御された配置方法に従って、前記複数の画像入力手段に入力されたそれぞれの画像信号を統合し、前記統合した画像を表示手段に表示する表示制御手段
として機能させるためのプログラムであって、
前記画像入力手段の種類と前記画像入力手段に入力された画像信号が前記制御手段によって制御された配置方法に従って配置される位置との関係を表す画像を前記表示手段に表示することを前記コンピュータに行わせるためのプログラム。
【発明の詳細な説明】
【技術分野】
【０００１】
本発明は、複数の端子から入力された画像信号を統合し、統合した画像を投影することができる表示装置、制御方法及びプログラムに関する。
【背景技術】
【０００２】
近年、画像表示パネルの低コスト化が進み、解像度が１９２０×１０８０（以下、Ｆｕｌｌ  ＨＤ）以上である４０９６×２１６０（以下、４Ｋ２Ｋ）といった超高解像度の表示装置が広まってきている。このような表示装置は、画像出力装置から画像ケーブルを介して画像信号が入力される。画像ケーブルとしては、アナログＲＧＢケーブル、ＨＤＭＩ（登録商標）ケーブル、Ｄｉｓｐｌａｙ  Ｐｏｒｔケーブル、ＤＶＩケーブル、ＳＤＩ／ＨＤ−ＳＤＩ／３Ｇ−ＳＤＩケーブル、光伝送ケーブルなどがある。
【０００３】
ここで、ＨＤＭＩのＶｅｒ２．０やＤｉｓｐｌａｙ  ＰｏｒｔのＶｅｒ１．２など、画像伝送規格のバージョンによっては、４Ｋ２Ｋといった超高解像度の画像信号も１本のケーブルで伝送できるものもある。しかしながら、このようなケーブルを用いる場合、画像出力装置側が伝送できる画像出力デバイスを搭載しているとともに、表示装置が側も１本の画像ケーブルで伝送されてきた画像信号を受信できる画像入力デバイスを搭載していることが必要となる。
【０００４】
また、画像出力装置側で超高解像度の画像信号を分割して伝送する方法を用いることもある。例えば、４本のＤＶＩケーブルで画像出力装置と表示装置とを接続した場合、画像出力装置側は超高解像度の画像信号を４分割し、１本のＤＶＩケーブル当たり元解像度の１／４の画像信号を伝送する。例えば、図３（ａ）に示す解像度４０９６×２１６０の画像の場合、図３（ｂ）に示すように縦方向及び横方向各々のサイズを１／２にして画像信号を伝送する。
【０００５】
このように複数の画像ケーブルを用いて画像信号を伝送し、表示装置側で単一の画面を構成して表示を行う場合、同じ外観のケーブルを用いても、ケーブルを容易に正しく接続したり、画像信号の構成位置を考慮したりすることが必要となる。特許文献１には、表示装置が１つの表示パネルに表示させる画像を複数のケーブルで伝送する場合に、各々の画像信号が示す画像が表示パネル上で所定の配列になるように並び替えを行う機能を有する表示装置が記載されている。
【０００６】
特許文献２には、入力された複数の画像間で縁部の画素値の差分を計算して、画像信号を所定の位置に並び替える画像表示装置が記載されている。特許文献３には、画像出力装置間で伝送する際に分割した元画像の分割数及び分割位置情報を表示装置が受信し、その情報を元に分割伝送された画像信号を所定の位置に並び替える画像表示装置が記載されている。
【先行技術文献】
【特許文献】
【０００７】
【特許文献１】特開２０１３−１５３４１０号公報
【特許文献２】特開２０１２−１７３４２４号公報
【特許文献３】特開２０１４−３４３８号公報
【発明の概要】
【発明が解決しようとする課題】
【０００８】
しかしながら、特許文献１及び２に記載の方法は、分割して伝送された画像信号を任意の位置に入れ替えるための画像信号選択回路及び縁部の画素差分値を計算する回路が必要となる。そのため、特許文献１及び２に記載の方法では、コストが増してしまう。また、特許文献３に記載の方法は、画像出力装置にも特別な機能を用意する必要があるため、画像出力装置のコストも増大してしまう。
【０００９】
したがって、安価な画像出力装置及び表示装置を用いて画像を表示する場合には、ケーブルの接続位置や画像信号の構成位置が正しくない場合に、ユーザの作業により表示領域内の所望の領域に所望の画像を配置する必要がある。そのため、ユーザにとって多くの負荷が生じてしまう。
【００１０】
そこで、本発明は、画像出力装置から複数の画像ケーブルを介して分割された画像信号を入力して表示領域内の所望の領域に所望の画像を配置するまでのユーザの作業を軽減できるようにすることを目的とする。
【課題を解決するための手段】
【００１１】
本発明に係る表示装置は、外部装置から複数の画像信号を入力する複数の画像入力手段と、前記複数の画像信号に係る画像の配置方法を制御する制御手段と、前記制御手段によって制御された配置方法に従って、前記複数の画像入力手段に入力されたそれぞれの画像信号を統合し、前記統合した画像を表示手段に表示する表示制御手段とを有し、前記表示制御手段は、前記画像入力手段の種類と前記画像入力手段に入力された画像信号が前記制御手段によって制御された配置方法に従って配置される位置との関係を表す画像を前記表示手段に表示することを特徴とする。
【発明の効果】
【００１２】
本発明によれば、画像出力装置から複数の画像ケーブルを介して分割された画像信号を入力して表示領域内の所望の領域に所望の画像を配置するまでのユーザの作業を軽減することができる。
【図面の簡単な説明】
【００１３】
【図１】表示装置１００から画像を投影する構成の概要を説明するための図である。
【図２】実施形態１に係る表示装置１００が有する複数の構成要素を説明するための図である。
【図３】投影画像の分割例を説明するための図である。
【図４】４分割の例及び２分割の例を説明するための図である。
【図５】表示装置１００と画像出力装置との間で行われる動作の概要を説明するためのタイミングチャートである。
【図６】表示装置１００の基本的な処理手順を説明するためのフローチャートである。
【図７】画像信号が入力される端子の位置を確認するための画面を表示する処理手順を説明するためのフローチャートである。
【図８】田の字モードにおいて入力される画像の一例を説明するための図である。
【図９】川の字モードにおいて入力される画像の一例を説明するための図である。
【図１０】表示モードの選択画面の一例を説明するための図である。
【図１１】表示される画像の位置と端子の位置との関係を示す画面の一例を説明するための図である。
【図１２】表示される画像の位置と端子の位置との関係を示す画面の他の一例を説明するための図である。
【図１３】一部の端子に画像信号が入力された場合の投影画像の一例を説明するための図である。
【図１４】表示モードと表示される画像の位置と端子の位置との関係を示す画面の一例を説明するための図である。
【発明を実施するための形態】
【００１４】
以下、図面を参照して本発明の実施形態を説明する。ただし、本発明の実施形態は以下の実施形態に限定されるものではない。
【００１５】
［実施形態１］
図１は、表示装置１００から画像を投影する構成の概要を説明するための図である。
図１において、表示装置１００は、例えば、外部のスクリーンに画像を投影することができるプロジェクタである。ただし、表示装置１００は、プロジェクタに限定されず、フラットパネルディスプレイまたは携帯電話であってもよい。また、画像出力装置１０１と表示装置１００とが画像ケーブル１０２ａ〜ｄによって接続されており、画像出力装置１０１は、画像ケーブル１０２ａ〜ｄを介して表示装置１００に画像信号を伝送する。そして、表示装置１００は、画像ケーブル１０２ａ〜ｄを介して入力された画像信号を結合して光学的に画像を投影し、スクリーン上に表示Ａ〜Ｄとして表示する。
【００１６】
まず、画像出力装置１０１について説明する。画像出力装置１０１は、出力する画像信号を画像出力装置１０１内のビデオメモリに展開し、画像ケーブル１０２ａ〜ｄを介して伝送する際に、画像信号を４分割して出力する。画像ケーブル１０２ａ〜ｄは、画像信号を伝達する部材であり、例えばＤＶＩケーブルを用いる。このような構成により、画像出力装置１０１で生成した画像信号を表示装置１００に分割して供給し、表示装置１００は分割された画像を統合して１つの画面として表示する。
【００１７】
図２は、実施形態１に係る表示装置１００が有する複数の構成要素を説明するための図である。
表示装置１００は、ＣＰＵ１１０と、ＲＯＭ１１１と、ＲＡＭ１１２と、操作部１１３と、第１の画像入力部１３０ａ〜第６の画像入力部１３０ｆと、画像処理部１４０とを有する。表示装置１００は、液晶制御部１５０と、液晶素子１５１Ｒと、液晶素子１５１Ｇと、液晶素子１５１Ｂと、光源制御部１６０と、光源１６１と、色分離部１６２と、色合成部１６３と、光学系制御部１７０と、投影光学系１７１とを有する。表示装置１００は、さらに、記録再生部１９１と、記録媒体１９２と、通信部１９３と、撮像部１９４と、表示制御部１９５と、表示部１９６とを有する。
【００１８】
ＣＰＵ１１０は、表示装置１００の各構成要素を制御する。ＲＯＭ１１１は、ＣＰＵ１１０の処理手順を記述した制御プログラムを記憶するものである。ＲＡＭ１１２は、ワークメモリとして制御プログラムやデータを格納するものである。また、ＣＰＵ１１０は、記録再生部１９１により記録媒体１９２から再生された静止画または動画の画像信号を記憶し、ＲＯＭ１１１に記憶されたプログラムを用いて、記憶された画像信号を再生することもできる。また、ＣＰＵ１１０は、通信部１９３より受信した静止画または動画の画像信号を記憶し、ＲＯＭ１１１に記憶されたプログラムを用いて、記憶された画像信号を再生することもできる。また、ＣＰＵ１１０は、撮像部１９４により得られた画像信号をＲＡＭ１１２に記憶し、ＲＯＭ１１１に記憶されたプログラムを用いて、静止画データまたは動画データに変換して記録媒体１９２に記録することもできる。
【００１９】
また、ＣＰＵ１１０は、下記に挙げる２つの表示モードで動作することが可能である。
（１）第１の画像入力部１３０ａ〜第４の画像入力部１３０ｄより入力された画像信号を田の字に結合して表示する「田の字モード」
（２）第１の画像入力部１３０ａ〜第４の画像入力部１３０ｄより入力された画像信号を川の字に結合して表示する「川の字モード」
これらのモードは、ユーザによる後述する操作部１１３またはリモコンの操作により設定することができる。
【００２０】
次に、操作部１１３について説明する。操作部１１３は、ユーザの指示を受け付け、ＣＰＵ１１０に指示信号を送信するものであり、例えば、スイッチやダイヤル、表示部１９６上に設けられたタッチパネルなどからなる。また、操作部１１３は、例えば、リモコンからの信号を受信する信号受信部（赤外線受信部など）であり、受信した信号に基づいて所定の指示信号をＣＰＵ１１０に送信するものであってもよい。また、ＣＰＵ１１０は、操作部１１３または通信部１９３から入力された制御信号を受信して、表示装置１００の各構成要素を制御する。
【００２１】
第１の画像入力部１３０ａ〜第４の画像入力部１３０ｄは、例えばＤＶＩ−Ｄ端子であり、外部装置から画像信号を入力するものである。なお、実施形態１ではＤＶＩ−Ｄ端子としたが、例えば、コンポジット端子、Ｓ画像端子、Ｄ端子、コンポーネント端子、アナログＲＧＢ端子、ＤＶＩ−Ｉ端子、またはＨＤＭＩ端子でもよい。また、アナログ画像信号を入力した場合には、入力したアナログ画像信号をデジタル画像信号に変換し、変換した画像信号を画像処理部１４０に出力する。ここで、外部装置は、画像信号を出力できるものであれば、パーソナルコンピュータ、カメラ、携帯電話、スマートフォン、ハードディスクレコーダ、ゲーム機など、どのようなものであってもよい。
【００２２】
図１で示した画像ケーブル１０２ａ〜ｄは、それぞれ第１の画像入力部１３０ａ〜第４の画像入力部１３０ｄに接続される。また、表示装置１００が受信できる画像信号の解像度及び最適な解像度を画像出力装置１０１に通知する必要がある。そこで、第１の画像入力部１３０ａ〜第４の画像入力部１３０ｄは、これらの情報を通知するためのファイルとしてＥＤＩＤ（Extended display identification data）が記録されたＥＥＰＲＯＭを有する。さらに第１の画像入力部１３０ａ〜第４の画像入力部１３０ｄは、画像出力装置１０１にＥＤＩＤの読み出しを指示するＨｏｔ  Ｐｌｕｇ  Ｄｅｔｃｔ（以下、ＨＰＤ）信号を制御する制御部も有する。
【００２３】
第５の画像入力部１３０ｅ及び第６の画像入力部１３０ｆは、例えばＨＤＭＩ端子であり、第１の画像入力部１３０ａ〜第４の画像入力部１３０ｄと同様に外部装置から画像信号を入力するものである。実施形態１ではＨＤＭＩ端子としたが、上述したそれ以外の端子でもよく、基本的な動作や構成は第１の画像入力部１３０ａ〜第４の画像入力部１３０ｄと同じなので説明は省略する。なお、第１の画像入力部１３０ａ〜第４の画像入力部１３０ｄとの違いは、以下の点である。第１の画像入力部１３０ａ〜第４の画像入力部１３０ｄはそれぞれ、４分割された画像信号を入力するためのものである。これに対して、第５の画像入力部１３０ｅ及び第６の画像入力部１３０ｆはそれぞれ、図４（ｃ）に示すように２分割された画像信号を入力するためのものである。
【００２４】
画像処理部１４０は、第１の画像入力部１３０ａ〜第６の画像入力部１３０ｆから入力された画像信号にフレーム数、画素数、画像形状、画像統合・画像結合などの変更処理を行い、液晶制御部１５０に出力する。また、画像処理部１４０は、例えば画像処理用のマイクロプロセッサであるが、専用のマイクロプロセッサである必要はなく、例えば、ＲＯＭ１１１に記憶されたプログラムによって、ＣＰＵ１１０が画像処理部１４０と同様の処理を実行してもよい。
【００２５】
また、画像処理部１４０は、フレーム間引き処理、フレーム補間処理、解像度変換処理、歪み補正処理（キーストン補正処理）といった機能を実行することが可能である。また、画像処理部１４０は、第１の画像入力部１３０ａ〜第６の画像入力部１３０ｆから入力された画像信号以外にも、ＣＰＵ１１０によって再生された画像信号に対して前述の処理を施すこともできる。さらに、画像処理部１４０は、第１の画像入力部１３０ａ〜第６の画像入力部１３０ｆから入力されたそれぞれの画像信号に対して、個別に画像処理を行うこともできる。また、画像処理部１４０は、第１の画像入力部１３０ａ〜第６の画像入力部１３０ｆから入力された画像信号を任意の組み合わせで１つに結合して画像処理を行うこともできる。入力された画像信号の結合方式としては、図４（ａ）に示す田の字結合と図４（ｂ）に示す川の字結合とがある。
【００２６】
液晶制御部１５０は、画像処理部１４０で処理された画像信号に基づいて、液晶素子１５１Ｒ、１５１Ｇ、１５１Ｂの画素の液晶に印可する電圧を制御して、液晶素子１５１Ｒ、１５１Ｇ、１５１Ｂの透過率を調整する。液晶制御部１５０は、例えば制御用のマイクロプロセッサからなるが、例えば、ＲＯＭ１１１に記憶されたプログラムによって、ＣＰＵ１１０が液晶制御部１５０と同様の処理を実行してもよい。
【００２７】
例えば、画像処理部１４０に画像信号が入力されている場合、液晶制御部１５０は、画像処理部１４０から１フレームの画像信号を入力する度に、画像に対応する透過率となるように、液晶素子１５１Ｒ、１５１Ｇ、１５１Ｂを制御する。
【００２８】
液晶素子１５１Ｒは、赤色に対応する液晶素子であって、光源１６１から出力された光のうち、色分離部１６２で赤色（Ｒ）、緑色（Ｇ）、青色（Ｂ）に分離された光のうち、赤色の光の透過率を調整するためのものである。液晶素子１５１Ｇは、緑色に対応する液晶素子であって、光源１６１から出力された光のうち、色分離部１６２で赤色（Ｒ）、緑色（Ｇ）、青色（Ｂ）に分離された光のうち、緑色の光の透過率を調整するためのものである。液晶素子１５１Ｂは、青色に対応する液晶素子であって、光源１６１から出力された光のうち、色分離部１６２で赤色（Ｒ）、緑色（Ｇ）、青色（Ｂ）に分離された光のうち、青色の光の透過率を調整するためのものである。この液晶制御部１５０による液晶素子１５１Ｒ、１５１Ｇ、１５１Ｂの具体的な制御動作や液晶素子１５１Ｒ、１５１Ｇ、１５１Ｂの構成については、後述する。
【００２９】
光源制御部１６０は、光源１６１のオン／オフを制御したり光量を制御したりするものであり、制御用のマイクロプロセッサからなる。また、光源制御部１６０は、専用のマイクロプロセッサである必要はなく、例えば、ＲＯＭ１１１に記憶されたプログラムによって、ＣＰＵ１１０が光源制御部１６０と同様の処理を実行してもよい。光源１６１は、スクリーンに画像を投影するための光を出力するものであり、例えば、ハロゲンランプ、キセノンランプ、高圧水銀ランプなどであってもよい。
【００３０】
色分離部１６２は、光源１６１から出力された光を、赤色（Ｒ）、緑色（Ｇ）、青色（Ｂ）に分離するものであり、例えば、ダイクロイックミラーやプリズムなどからなる。なお、光源１６１として、各色に対応するＬＥＤ等を使用する場合には、色分離部１６２は不要である。
【００３１】
色合成部１６３は、液晶素子１５１Ｒ、１５１Ｇ、１５１Ｂを透過した赤色（Ｒ）、緑色（Ｇ）、青色（Ｂ）の光を合成するものであり、例えば、ダイクロイックミラーやプリズムなどからなる。そして、色合成部１６３により赤色（Ｒ）、緑色（Ｇ）、青色（Ｂ）の成分が合成された光は、投影光学系１７１に出力される。このとき、液晶素子１５１Ｒ、１５１Ｇ、１５１Ｂは、画像処理部１４０から入力された画像信号に対応する光の透過率となるように、液晶制御部１５０により制御される。そのため、色合成部１６３により合成された光は、投影光学系１７１によりスクリーンに投影されると、画像処理部１４０により入力された画像信号に対応する画像がスクリーン上に表示されることになる。
【００３２】
光学系制御部１７０は、投影光学系１７１を制御するものであり、制御用のマイクロプロセッサからなる。また、光学系制御部１７０は、専用のマイクロプロセッサである必要はなく、例えば、ＲＯＭ１１１に記憶されたプログラムによって、ＣＰＵ１１０が光学系制御部１７０と同様の処理を実行してもよい。また、投影光学系１７１は、色合成部１６３から出力された合成光をスクリーンに投影するためのものであり、複数のレンズ、レンズ駆動用のアクチュエータからなる。レンズをアクチュエータにより駆動することにより、投影光学系１７１は、投影画像の拡大、縮小、焦点調整などを行うことができる。
【００３３】
記録再生部１９１は、記録媒体１９２から静止画または動画の画像信号を再生したり、撮像部１９４により得られた静止画または動画の画像信号を記録媒体１９２に記録したりするものである。また、記録再生部１９１は、通信部１９３より受信した静止画データや動画データを記録媒体１９２に記録してもよい。記録再生部１９１は、例えば、記録媒体１９２と電気的に接続するインタフェースや記録媒体１９２と通信するためのマイクロプロセッサからなる。なお、記録再生部１９１には、専用のマイクロプロセッサを含む必要はなく、例えば、ＲＯＭ１１１に記憶されたプログラムによって、ＣＰＵ１１０が記録再生部１９１と同様の処理を実行してもよい。
【００３４】
記録媒体１９２は、画像信号の他に、実施形態１の表示装置１００に必要な制御データなどを記録することができ、磁気ディスク、光学式ディスク、半導体メモリなどのあらゆる方式の記録媒体であってよい。また、記録媒体１９２は着脱可能な記録媒体であっても、内蔵型の記録媒体であってもよい。
【００３５】
通信部１９３は、外部機器からの制御信号や画像信号などを受信するためのものであり、例えば、無線ＬＡＮ、有線ＬＡＮ、ＵＳＢ、Ｂｌｕｅｔｏｏｔｈ（登録商標）などであってよく、通信方式を特に限定するものではない。また、第１の画像入力部１３０ａ〜第６の画像入力部１３０ｆのそれぞれの端子が、例えばＨＤＭＩ端子であれば、その端子を介してＣＥＣ通信を行うものであってもよい。
【００３６】
撮像部１９４は、実施形態１の表示装置１００の周辺を撮像して画像信号を取得するものであり、投影光学系１７１により投影されている画像を撮影することができる。撮像部１９４は、得られた画像信号をＣＰＵ１１０に出力し、ＣＰＵ１１０は、その画像信号をＲＡＭ１１２に記憶し、ＲＯＭ１１１に記憶されたプログラムに基づいて、静止画データまたは動画データに変換する。撮像部１９４は、被写体の光学像を取得するレンズと、レンズを駆動するアクチュエータと、アクチュエータを制御するマイクロプロセッサとを有する。さらに撮像部１９４は、レンズを介して取得した光学像を画像信号に変換する撮像素子と、撮像素子により得られた画像信号をデジタル信号に変換するＡＤ変換部とを有する。また、撮像部１９４は、スクリーン方向を撮影するものに限られず、例えば、スクリーンと逆方向の視聴者側を撮影できるものであってもよい。
【００３７】
表示制御部１９５は、表示装置１００に備えられた表示部１９６に表示装置１００を操作するための操作画面、スイッチアイコン等の画像を表示させるための制御を行うものであり、表示制御を行うマイクロプロセッサなどからなる。また、表示制御部１９５は、専用のマイクロプロセッサである必要はなく、例えば、ＲＯＭ１１１に記憶されたプログラムによって、ＣＰＵ１１０が表示制御部１９５と同様の処理を実行してもよい。
【００３８】
表示部１９６は、表示装置１００を操作するための操作画面及びスイッチアイコンを表示するものである。表示部１９６は、画像を表示できればどのようなものであってもよく、例えば、液晶ディスプレイ、ＣＲＴディスプレイ、有機ＥＬディスプレイ、ＬＥＤディスプレイであってよい。また、特定のボタンをユーザに認識可能に提示するために、各ボタンに対応するＬＥＤ等を発光させるものであってもよい。
【００３９】
なお、実施形態１において、画像処理部１４０と、液晶制御部１５０と、光源制御部１６０と、光学系制御部１７０と、記録再生部１９１と、表示制御部１９５とは、これらの構成要素と同様の処理を行うことのできる単数または複数のマイクロプロセッサあってもよい。または、例えば、ＲＯＭ１１１に記憶されたプログラムによって、ＣＰＵ１１０が各構成要素と同様の処理を実行してもよい。
【００４０】
次に、図５を用いて、実施形態１の表示装置１００の基本動作を説明する。
図５は、表示装置１００と画像出力装置１０１との間で行われる動作の概要を説明するためのタイミングチャートである。
まず、画像出力装置１０１から出力された画像信号が表示装置１００に入力される（Ｔ１１）。そして、画像信号を出力している状態で、ユーザが表示装置１００の操作部１１３またはリモコンを操作することによって表示モードが変更される（Ｔ０１）。これを受けて表示装置１００はＨＰＤ信号をロー（０Ｖ）にする（Ｔ０２）。
【００４１】
画像出力装置１０１は、ＨＰＤ信号がローになったことから接続断を検知し（Ｔ１２）、画像信号の出力を停止する（Ｔ１３）。一方、表示装置１００はＴ０２の処理後、ＥＤＩＤを表示モードに応じたＥＤＩＤに切り替え（Ｔ０３）、再度ＨＰＤ信号をハイ（５Ｖ）にする（Ｔ０４）。画像出力装置１０１は、ＨＤＰ信号がハイになったことから再接続されたことを検知し（Ｔ１４）、ＥＤＩＤの読み出しを行い（Ｔ１５）、ＥＤＩＤに従って決定された解像度で画像信号を出力する（Ｔ１６）。
【００４２】
図６は、上述した図５のシーケンスにおける表示装置１００の基本的な処理手順を説明するためのフローチャートである。なお、図６の動作は、ＣＰＵ１１０が、ＲＯＭ１１１に記憶されたプログラムに基づいて、各構成要素を制御することにより実行されるものである。
まず、ユーザにより操作部１１３またはリモコンが操作されて表示装置１００の電源のオンが指示されると、ＣＰＵ１１０は、電源部から表示装置１００の各部に電源を供給することにより処理を開始する。
【００４３】
次に、ＣＰＵ１１０は、ユーザによる操作部１１３やリモコンの操作により選択された表示モードがどの表示モードであるかを識別する（Ｓ６０１）。なお、実施形態１では、ユーザにより表示モードが選択される場合について説明するが、電源を投入した時点での表示モードは、前回終了時の表示モードになっていてもよく、前述のいずれかの表示モードをデフォルトの表示モードとしてもよい。この場合には、電源投入後の表示モードが予め決定されているため、Ｓ６０１の処理を省略することができる。
【００４４】
まず、Ｓ６０１で「田の字モード」と識別された場合について説明する。「田の字モード」が選択されている場合には、ＣＰＵ１１０は、第１の画像入力部１３０ａ〜第４の画像入力部１３０ｄに対して、ＨＰＤ信号をローにするように制御する（Ｓ６０２）。次に、ＣＰＵ１１０は、画像出力装置１０１側に表示装置１００の仕様を通知する情報であるＥＤＩＤを田の字用のＥＤＩＤに切り替える（Ｓ６０３）。その後、ＣＰＵ１１０は、第１の画像入力部１３０ａ〜第４の画像入力部１３０ｄに対して、ＨＤＰ信号をハイにするように制御する（Ｓ６０４）。これにより、画像出力装置１０１は、田の字用のＥＤＩＤを読み出すことができる。
【００４５】
次に、ＣＰＵ１１０は、第１の画像入力部１３０ａ〜第４の画像入力部１３０ｄのそれぞれから画像信号が入力されるまで待機する（Ｓ６０５）。そして、画像信号が入力されると（Ｓ６０５でＹｅｓ）、ＣＰＵ１１０は、田の字モード処理を行い（Ｓ６０６）、その後、投影処理を実行する（Ｓ６０７）。
【００４６】
ここで、Ｓ６０６の田の字モード処理について説明する。表示装置１００は、Ｓ６０３で田の字用のＥＤＩＤに切り替えた後にＨＰＤ信号をローからハイとすることにより、画像出力装置１０１側に田の字用のＥＤＩＤの読み出しを行わせるようにする。そして、画像出力装置１０１は、表示装置１００の再接続を検知してＥＤＩＤを読み出し、そのＥＤＩＤから１つの画像信号を田の字の解像度に分割して画像信号を出力する。
【００４７】
図８（ａ）〜図８（ｄ）は、それぞれ画像出力装置１０１が田の字モードで図３（ａ）に示す画像を分割して生成された画像を示しており、第１の画像入力部１３０ａ〜第４の画像入力部１３０ｄにそれぞれの画像信号が入力される。各々の解像度は２０４８×１０８０であり、解像度は田の字用のＥＤＩＤに記載されている。ＣＰＵ１１０は、第１の画像入力部１３０ａ〜第４の画像入力部１３０ｄより入力された画像信号を画像処理部１４０に出力し、画像処理部１４０によりこれらの画像を図３（ｂ）に示すように田の字の形に結合する。以上が田の字モード処理である。
【００４８】
また、次の投影処理（Ｓ６０７）では、ＣＰＵ１１０は、画像処理部１４０により、結合された画像の画素数、フレームレート、形状などの変形を実行させ、処理の施された１画面分の画像信号を液晶制御部１５０に出力する。そして、ＣＰＵ１１０は、液晶制御部１５０に、入力された１画面分の画像信号の赤色（Ｒ）、緑色（Ｇ）、青色（Ｂ）の各色成分の階調レベルに応じた透過率となるように、液晶素子１５１Ｒ、１５１Ｇ、１５１Ｂの透過率を制御させる。そして、ＣＰＵ１１０は、光源制御部１６０に光源１６１からの光の出力を制御させる。
【００４９】
色分離部１６２は、光源１６１から出力された光を、赤色（Ｒ）、緑色（Ｇ）、青色（Ｂ）に分離し、それぞれの光を、液晶素子１５１Ｒ、１５１Ｇ、１５１Ｂに供給する。液晶素子１５１Ｒ、１５１Ｇ、１５１Ｂに供給された各色の光は、各液晶素子の画素毎に透過する光量が制限される。そして、液晶素子１５１Ｒ、１５１Ｇ、１５１Ｂを透過した赤色（Ｒ）、緑色（Ｇ）、青色（Ｂ）それぞれの光は、色合成部１６３に供給され再び合成される。そして、色合成部１６３で合成された光は、投影光学系１７１を介して、スクリーンに投影される。この投影処理は、画像を投影している間１フレーム毎に順次実行される。
【００５０】
なお、このとき、ユーザの操作により投影光学系１７１を操作するための指示が操作部１１３から入力される場合がある。この場合、ＣＰＵ１１０は、光学系制御部１７０に、投影画像の焦点を変更したり、光学系の拡大率を変更したりするように投影光学系１７１のアクチュエータを制御させる。
【００５１】
図６の説明に戻り、表示処理の実行中に、ＣＰＵ１１０は、ユーザの操作により表示モードを切り替える指示が操作部１１３から入力されたか否かを判定する（Ｓ６０８）。この判定の結果、表示モードを切り替える指示が操作部１１３から入力された場合は（Ｓ６０８でＹｅｓ）、ＣＰＵ１１０は、再びＳ６０１に戻り、表示モードの判定を行う。
【００５２】
なお、表示処理の実行中に、ユーザの操作により表示モードを切り替えるためのメニュー画面を表示させる指示が操作部１１３から入力されると、ＣＰＵ１１０は、画像処理部１４０に表示モードを選択させるためのメニュー画面をＯＳＤ画像として出力する。そして、ＣＰＵ１１０は、投影中の画像に対してこのＯＳＤ画像を重畳させるように画像処理部１４０を制御する。ユーザはこの投影されたＯＳＤ画像を見ながら表示モードを選択することができる。その後、Ｓ６０８において、ＣＰＵ１１０は、ユーザの操作により表示モードを切り替える指示が操作部１１３から入力されたか否かを判定する。
【００５３】
図１０（ａ）は、表示モードをユーザに選択させるためのメニュー画面（ＯＳＤ画像）の一例を示す図である。なお、図１０（ａ）に示す例では、選択肢を田の字モードまたは川の字モードとしているが、図１０（ｂ）に示すように、田の字モードを標準モードとし、川の字モードを低遅延モードとするメニュー画面を表示するようにしてもよい。
【００５４】
一方、Ｓ６０８の判定の結果、表示モードを切り替える指示が操作部１１３から入力されない場合は（Ｓ６０８でＮｏ）、ＣＰＵ１１０は、ユーザの操作により投影終了の指示が操作部１１３から入力されたか否かを判定する（Ｓ６０９）。この判定の結果、投影終了の指示が操作部１１３から入力された場合には（Ｓ６０９でＹｅｓ）、ＣＰＵ１１０は、表示装置１００の各構成要素に対する電力供給を停止させ、画像投影を終了させる。
【００５５】
一方、Ｓ６０９の判定の結果、投影終了の指示が操作部１１３から入力された場合には（Ｓ６０９でＮｏ）、Ｓ６０５へ戻る。以降、ユーザの操作により投影終了の指示が操作部１１３から入力されるまでの間Ｓ６０５からＳ６０９までの処理を繰り返す。
【００５６】
次に、Ｓ６０１の識別結果が「川の字モード」であった場合の処理について説明する。なお、「田の字モード」の場合との違いは、Ｓ６５３及びＳ６５６だけである。
Ｓ６０１で「川の字モード」と識別された場合は、ＣＰＵ１１０は、第１の画像入力部１３０ａ〜第４の画像入力部１３０ｄに対してＨＰＤ信号をローにするように制御する（Ｓ６５２）。次に、画像出力装置１０１側に表示装置１００の仕様を通知する情報であるＥＤＩＤを川の字用のＥＤＩＤに切り替える（Ｓ６５３）。その後、ＣＰＵ１１０は、第１の画像入力部１３０ａ〜第４の画像入力部１３０ｄに対して、ＨＤＰ信号をハイにするように制御する（Ｓ６５４）。これにより、画像出力装置１０１は、川の字用のＥＤＩＤを読み出すことができる。
【００５７】
次に、ＣＰＵ１１０は、第１の画像入力部１３０ａ〜第４の画像入力部１３０ｄのそれぞれから画像信号が入力されるまで待機する（Ｓ６５５）。そして、画像信号が入力されると（Ｓ６５５でＹｅｓ）、ＣＰＵ１１０は、川の字モード処理を行い（Ｓ６５６）、その後、投影処理を実行する（Ｓ６５７）。
【００５８】
ここで、Ｓ６５６の川の字モード処理について説明する。田の字モードの場合と同様に表示装置１００は、Ｓ６５３で川の字用のＥＤＩＤに切り替えた後に、ＨＰＤ信号をローからハイとすることにより、画像出力装置１０１側に川の字用のＥＤＩＤの読み出しを行わせるようにする。そして、画像出力装置１０１は、表示装置１００の再接続を検知してＥＤＩＤを読み出し、そのＥＤＩＤから１つの画像信号を川の字の解像度に分割して画像信号を出力する。
【００５９】
図９（ａ）〜図９（ｄ）は、それぞれ画像出力装置１０１が川の字モードで図３（ａ）に示す画像を分割して生成された画像を示しており、第１の画像入力部１３０ａ〜第４の画像入力部１３０ｄにそれぞれの画像信号が入力される。各々の解像度は１０２４×２１６０であり、解像度は川の字用のＥＤＩＤに記載されている。ＣＰＵ１１０は、第１の画像入力部１３０ａ〜第４の画像入力部１３０ｄより入力された画像信号を画像処理部１４０に出力し、画像処理部１４０によりこれらの画像を図３（ｃ）に示すように、画像を川の字の形に結合する。以上が川の字モード処理である。以下、Ｓ６５７〜Ｓ６５９の処理は、それぞれ前述した田の字モードにおけるＳ６０７〜Ｓ６０９と同様であるため、説明は省略する。
【００６０】
以下、図７を参照して、実施形態１において、入力端子と表示される投影画像との関係を示す画面を表示する処理について説明する。表示装置１００の基本的な処理手順は図６に示した手順であるが、実施形態１では、表示モードに応じて、入力端子と表示される投影画像との関係を示す画面（ＯＳＤ画像）を変更することができる。例えば、ＣＰＵ１１０は、ユーザが指定した表示モードに応じて、ユーザの各種操作に応じて表示するＯＳＤ画像の中の一部のＯＳＤ画像の形状を変更して表示する機能を有する。
【００６１】
例えば、図７のＳ６０７の投影処理を行った結果、一部の画像入力部から画像信号が入力されないといった場合がある。このような場合に、実施形態１では、複数の端子のうち、どの端子から画像信号が入力されていないかを簡単に確認できるように、投影画像の位置と端子の位置との関係を示す画面を表示できるようにしている。これにより、ユーザはどの端子に接触不良などが生じているかをすぐに把握でき、素早く対策を行うことができる。また、入力される画像信号の位置が誤っていた場合には、このような画面を表示することによって、簡単に配置を変更することができる。
【００６２】
図７は、表示装置１００において画像信号が入力される端子との関係で画像が配置される位置を確認するための画面を表示する処理手順を説明するためのフローチャートである。図７の動作は、基本的にＣＰＵ１１０が、ＲＯＭ１１１に記憶されたプログラムに基づいて、各構成要素を制御することにより実行される。
【００６３】
まず、ＣＰＵ１１０は、ユーザの操作により操作部１１３またはリモコンから画像信号が入力される端子との関係で画像が配置される位置を確認するための画面（ＯＳＤ画像）を表示する指示を操作部１１３から入力されるまで待機する（Ｓ７０１）。そして、画像信号が入力される端子との関係で画像が配置される位置を確認するための画面（ＯＳＤ画像）を表示する指示を受けると（Ｓ７０１でＹｅｓ）、ＣＰＵ１１０は、現在選択されている表示モードを識別する（Ｓ７０２）。
【００６４】
まず、Ｓ７０２で「田の字モード」と識別された場合について説明する。Ｓ７０２で「田の字モード」と識別された場合には、ＣＰＵ１１０は、画像処理部１４０に例えば図１１（ａ）で示す画面をＯＳＤ画像として出力し、投影中の画像に対してこのＯＳＤ画像を重畳させるように画像処理部１４０を制御する（Ｓ７０３）。
【００６５】
図１１（ａ）に示す画面では、ＤＶＩ−Ｄ端子に対応する部分が田の字の形として表示される。なお、ＤＶＩ−ＤのＣＨ１、ＣＨ２、ＣＨ３、ＣＨ４はそれぞれ第１の画像入力部１３０ａ、第２の画像入力部１３０ｂ、第３の画像入力部１３０ｃ、第４の画像入力部１３０ｄと対応している。また、図１１（ａ）に示す例では、使用されていない第５の画像入力部１３０ｅ及び第６の画像入力部１３０ｆに対応するＨＤＭＩ端子の位置関係も併せて表示されている。
【００６６】
次に、ＣＰＵ１１０は、ユーザにより操作部１１３またはリモコンが操作されて表示終了の指示を操作部１１３から入力したかどうかを判定する（Ｓ７０４）。この判定の結果、選択指示を操作部１１３から入力した場合は、ＣＰＵ１１０は、ＯＳＤ画像を非表示にするように画像処理部１４０を制御する（Ｓ７０５）。
【００６７】
なお、図１１（ａ）には、第１の画像入力部１３０ａ〜第６の画像入力部１３０ｆのいずれにも画像信号が入力されていない場合の例を示している。例えば、図１３（ａ）に示すように、ＣＨ１（第１の画像入力部１３０ａ）のみに画像信号が入力されている場合は、図１２（ａ）に示すようなＤＶＩ−ＤのＣＨ１の部分だけが区別して表示されたＯＳＤ画像を図１３（ａ）に示す投影画像に重畳して表示する。
【００６８】
次に、Ｓ７０２で「川の字モード」と識別された場合について説明する。なお、「田の字モード」と識別された場合と比較して異なる点は、Ｓ７５３の処理だけである。Ｓ７０２で「川の字モード」と識別された場合には、ＣＰＵ１１０は、画像処理部１４０に例えば図１１（ｂ）に示す画面をＯＳＤ画像として出力し、投影中の画像に対してこのＯＳＤ画像を重畳させるように画像処理部１４０を制御する。なお、次のＳ７５４の処理はＳ７０４と同様であるため、説明は省略する。
【００６９】
図１１（ｂ）に示す画面では、ＤＶＩ−Ｄ端子に対応する部分が川の字の形として表示される。そして、図１１（ａ）と同様に、ＤＶＩ―ＤのＣＨ１、ＣＨ２、ＣＨ３、ＣＨ４はそれぞれ第１の画像入力部１３０ａ、第２の画像入力部１３０ｂ、第３の画像入力部１３０ｃ、第４の画像入力部１３０ｄと対応している。また、図１１（ａ）に示す例と同様、図１１（ｂ）に示す例でも、使用されていない第５の画像入力部１３０ｅ及び第６の画像入力部１３０ｆに対応するＨＤＭＩ端子の位置関係も併せて表示されている。
【００７０】
なお、図１１（ｂ）には、第１の画像入力部１３０ａ〜第４の画像入力部１３０ｄのいずれにも画像信号が入力されていない場合の例を示している。例えば、図１３（ｂ）に示すように、ＣＨ２（第２の画像入力部１３０ｂ）のみに画像信号が入力されている場合は、図１２（ｂ）に示すようなＤＶＩ−ＤのＣＨ２の部分だけが区別して表示されたＯＳＤ画像を図１３（ｂ）に示す投影画像に重畳して表示する。
【００７１】
以上説明したように実施形態１によれば、入力端子と表示される投影画像との関係を示す画面を、表示モードに応じて変更するようにした。これにより、表示装置１００が有する端子の種類と実際の表示面との対応関係性をユーザが容易に把握することができる。したがって、正しく画像が投影されていない場合などにおいて、素早く対応して表示領域内の所望の領域に所望の画像を簡単に配置することができる。
【００７２】
なお、実施形態１では、表示モードを選択するメニュー画面の例として、図１０（ａ）または図１０（ｂ）の例を示したが、図１４に示すように、同一のＯＳＤ画像に画像入力部のＣＨ番号と実際の表示する画像との対応関係を示してもよい。
【００７３】
［実施形態２］
実施形態１で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態２では、パーソナルコンピュータ、マイクロコンピュータ、ＣＰＵなどを「コンピュータＸ」と呼ぶ。また、実施形態２では、コンピュータＸを制御するためのプログラムであって、実施形態１で説明した様々な機能、処理及び方法を実現するためのプログラムを「プログラムＹ」と呼ぶ。
【００７４】
実施形態１で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態２におけるコンピュータ読み取り可能な記憶媒体は、ｎｏｎ−ｔｒａｎｓｉｔｏｒｙ（非一時的）な記憶媒体である。
【符号の説明】
【００７５】
１１０    ＣＰＵ
１３０ａ  第１の画像入力部
１３０ｂ  第２の画像入力部
１３０ｃ  第３の画像入力部
１３０ｄ  第４の画像入力部
１４０    画像処理部
１７１  投影光学系
【図１】
2017044968.tif 000003
【図２】
2017044968.tif 000004
【図３】
2017044968.tif 000005
【図４】
2017044968.tif 000006
【図５】
2017044968.tif 000007
【図６】
2017044968.tif 000008
【図７】
2017044968.tif 000009
【図８】
2017044968.tif 000010
【図９】
2017044968.tif 000011
【図１０】
2017044968.tif 000012
【図１１】
2017044968.tif 000013
【図１２】
2017044968.tif 000014
【図１３】
2017044968.tif 000015
【図１４】
2017044968.tif 000016